(57)【特許請求の範囲】
【請求項１】
第１の通信手段と、前記第１の通信手段とは異なる第２の通信手段とを有する被制御装置であって、
前記第１の通信手段により受信した発信元情報を記憶する記憶手段と、
前記第２の通信手段により受信した命令情報の発信元情報と、前記記憶手段に記憶された発信元情報とに基づいて、
前記第２の通信手段により受信した命令情報の発信元と、前記記憶手段に記憶された発信元情報の発信元とが、同一であると判断した場合には、
前記第２の通信手段により受信した命令情報に応じた動作を実行するように前記被制御装置を制御し、
前記第２の通信手段により受信した命令情報の発信元と、前記記憶手段に記憶された発信元情報の発信元とが、同一でないと判断した場合には、
前記第２の通信手段により受信した命令情報に応じた動作を実行しないように前記被制御装置を制御する制御手段とを有し、
前記制御手段は、前記第１の通信手段により受信した命令情報の発信元にかかわらず、前記第１の通信手段により受信した命令情報に応じた動作を実行するように前記被制御装置を制御することを特徴とする被制御装置。
【請求項２】
前記第２の通信手段は、ネットワークを介して前記命令情報を受信することを特徴とする請求項１記載の被制御装置。
【請求項３】
前記記憶手段は、前記第１の通信手段により最後に受信した発信元情報を記憶し、
前記制御手段は、前記第２の通信手段により受信した命令情報の発信元と、前記記憶手段に記憶された前記第１の通信手段により最後に受信した発信元情報の発信元とが、同一であると判断した場合には、
前記第２の通信手段により受信した命令情報に応じた動作を実行するように前記被制御装置を制御することを特徴とする請求項１または２記載の被制御装置。
【請求項４】
前記制御手段は、前記第１の通信手段により受信した命令情報に応じた動作を実行するように前記被制御装置を制御することを特徴とする請求項１から３のいずれか１項記載の被制御装置。
【請求項５】
前記第２の通信手段により受信した命令情報の発信元は、前記命令情報とともに前記第２の通信手段により受信した発信元情報に基づいて特定することを特徴とする請求項１から４のいずれか１項記載の被制御装置。
【請求項６】
前記第１の通信手段により受信した発信元情報は、前記第１の通信手段により受信した命令情報とともに受信されることを特徴とする請求項１から５のいずれか１項記載の被制御装置。
【請求項７】
前記第２の通信手段により受信した命令情報は、電源を制御するための情報であることを特徴とする請求項１から６のいずれか１項記載の被制御装置。
【請求項８】
前記第２の通信手段により受信した命令情報は、前記被制御装置の動作モードを制御するための情報であることを特徴とする請求項１から７のいずれか１項記載の被制御装置。
【請求項９】
第１の通信手段と、前記第１の通信手段とは異なる第２の通信手段とを有する被制御装置における制御方法であって、
前記第１の通信手段により受信した発信元情報を記憶手段に記憶する記憶工程と、
前記第２の通信手段により受信した命令情報の発信元情報と、前記記憶手段に記憶された発信元情報とに基づいて、
前記第２の通信手段により受信した命令情報の発信元と、前記記憶手段に記憶された発信元情報の発信元とが、同一であると判断した場合には、
前記第２の通信手段により受信した命令情報に応じた動作を実行するように前記被制御装置を制御し、
前記第２の通信手段により受信した命令情報の発信元と、前記記憶手段に記憶された発信元情報の発信元とが、同一でないと判断した場合には、
前記第２の通信手段により受信した命令情報に応じた動作を実行しないように前記被制御装置を制御する第１の制御工程と、
前記第１の通信手段により受信した命令情報の発信元にかかわらず、前記第１の通信手段により受信した命令情報に応じた動作を実行するように前記被制御装置を制御する第２の制御工程とを有することを特徴とする被制御装置における制御方法。
【請求項１０】
第１の通信手段と、前記第１の通信手段とは異なる第２の通信手段とを有する被制御装置における制御方法をコンピュータに実行させるプログラムであって、
前記第１の通信手段により受信した発信元情報を記憶手段に記憶する記憶工程と、
前記第２の通信手段により受信した命令情報の発信元情報と、前記記憶手段に記憶された発信元情報とに基づいて、
前記第２の通信手段により受信した命令情報の発信元と、前記記憶手段に記憶された発信元情報の発信元とが、同一であると判断した場合には、
前記第２の通信手段により受信した命令情報に応じた動作を実行するように前記被制御装置を制御し、
前記第２の通信手段により受信した命令情報の発信元と、前記記憶手段に記憶された発信元情報の発信元とが、同一でないと判断した場合には、
前記第２の通信手段により受信した命令情報に応じた動作を実行しないように前記被制御装置を制御する第１の制御工程と、
前記第１の通信手段により受信した命令情報の発信元にかかわらず、前記第１の通信手段により受信した命令情報に応じた動作を実行するように前記被制御装置を制御する第２の制御工程とをコンピュータに実行させることを特徴とするプログラム。
【発明の詳細な説明】
【技術分野】
【０００１】
本発明は被制御装置、被制御装置における制御方法及びプログラムに関し、特に、ユーザ側（制御機器）が複数の被制御機器を制御するために用いて好適な技術に関する。
【背景技術】
【０００２】
従来、複数の被制御機器が１つのネットワークに接続されており、ユーザ側（制御機器）が複数の被制御機器を制御する場合に、接続されているネットワークを通して、それらの被制御機器に命令情報を一斉に伝えることができる制御システムが知られている。このような制御システムを用いた例として、例えば特許文献１においては、テレビモニター付き電話ユニットから外出／在宅を切り替えることによって複数の機器の電源を一斉に制御する技術が開示されている。
【０００３】
【特許文献１】特開平６−５２４７５号公報
【発明の開示】
【発明が解決しようとする課題】
【０００４】
前述したような従来の制御システムでは、複数の機器の電源等を一斉に制御できるが、ネットワークに接続されている機器の中には、例えば電源をオフにすることが好ましくない機器が含まれている場合もある。具体的な例としては、ネットワークに接続されたテレビを他のユーザが視聴していた場合には、電源オフの指示により、視聴中に突然テレビの視聴が中断されてしまうこともある。このように、他のユーザが意図していない制御が行われてしまうという問題点があった。
【０００５】
本発明は前述の問題点に鑑み、ユーザの意図する複数の機器を一斉に制御できるようにすることを目的としている。
【課題を解決するための手段】
【０００６】
本発明の被制御装置は、第１の通信手段と、前記第１の通信手段とは異なる第２の通信手段とを有する被制御装置であって、前記第１の通信手段により受信した発信元情報を記憶する記憶手段と、前記第２の通信手段により受信した命令情報の発信元情報と、前記記憶手段に記憶された発信元情報とに基づいて、前記第２の通信手段により受信した命令情報の発信元と、前記記憶手段に記憶された発信元情報の発信元とが、同一であると判断した場合には、前記第２の通信手段により受信した命令情報に応じた動作を実行するように前記被制御装置を制御し、前記第２の通信手段により受信した命令情報の発信元と、前記記憶手段に記憶された発信元情報の発信元とが、同一でないと判断した場合には、前記第２の通信手段により受信した命令情報に応じた動作を実行しないように前記被制御装置を制御する制御手段とを有し、前記制御手段は、前記第１の通信手段により受信した命令情報の発信元にかかわらず、前記第１の通信手段により受信した命令情報に応じた動作を実行するように前記被制御装置を制御することを特徴とする。
【発明の効果】
【００１１】
本発明によれば、第１の命令情報を送信した制御機器を特定する発信元情報を記憶し、第２の命令情報を送信した制御機器を特定する発信元情報と、前記記憶した発信元情報とを比較する。そして、制御機器が同一である場合に、前記第２の命令情報に基づく制御を行うようにした。これにより、他のユーザが意図していない制御が行われてしまうことを防止することができ、ユーザの意図する複数の機器を一斉に制御することができる。
【発明を実施するための最良の形態】
【００１２】
（第１の実施形態）
以下、本発明の実施形態について図面を参照しながら説明する。
図１は、本実施形態に係る被制御機器の内部構成例を示すブロック図である。
図１において、被制御機器１００は、ネットワーク接続端子１１０と、ネットワーク通信回路１２０と、赤外線受光センサ１３０と、赤外線通信受信回路１４０とを備えている。さらに、発信元情報記憶回路１５０と、発信元比較回路１６０と、操作パネル１７０と、一斉制御回路１８０と、システム制御回路１９０とを備えている。
【００１３】
ネットワーク接続端子１１０は、イーサネット（登録商標）によるネットワークに接続するための端子である。ネットワーク通信回路１２０は、ネットワーク接続端子１１０を通してネットワークからデータを受信して、受信したデータに含まれる発信元情報と命令情報（第２の命令情報）とを出力する。本実施形態においては、ネットワーク接続端子１１０及びネットワーク通信回路１２０は、第２の通信手段として機能する。
【００１４】
赤外線受光センサ１３０は第１の通信手段として機能し、後述する遠隔操作機器（リモコン）から発信された赤外線を受光し、受光した赤外線を復調して赤外線受信信号を赤外線通信受信回路１４０に出力する。赤外線通信受信回路１４０は、赤外線受光センサ１３０で復調した赤外線受信信号に含まれる対象機器情報から、被制御機器１００本体を制御可能であることを検出すると、赤外線受信信号に含まれる発信元情報と命令情報（第１の命令情報）とを出力する。本実施形態においては、赤外線受光センサ１３０及び赤外線通信受信回路１４０は、第１の通信手段として機能する。
【００１５】
発信元情報記憶回路１５０は記憶手段として機能し、赤外線通信受信回路１４０から出力される発信元情報を図示しないメモリ等の記憶部に記憶する。なお、既に発信元情報が記憶されている場合には、新しい発信元情報に更新する。したがって、発信元情報記憶回路１５０は、赤外線通信受信回路１４０から最後に出力された最新の発信元情報を記憶している。また、その発信元情報を読み出して発信元比較回路１６０に出力することもできる。発信元比較回路１６０は比較手段として機能し、ネットワーク通信回路１２０から出力される発信元情報と、発信元情報記憶回路１５０から出力される発信元情報とを比較して比較結果情報を一斉制御回路１８０に出力する。
【００１６】
操作パネル１７０は、被制御機器１００本体の表面に設置されており、複数のボタンを有している。そして、ユーザのボタン操作に応じた操作信号を一斉制御回路１８０に出力する。
【００１７】
一斉制御回路１８０は、ネットワーク通信回路１２０または赤外線通信受信回路１４０から出力される命令情報と、発信元比較回路１６０から出力される比較結果情報と、操作パネル１７０から出力される操作信号とを入力する。そして入力された信号に応じて、システム制御回路１９０を制御する制御信号を出力する。システム制御回路１９０は、一斉制御回路１８０から出力される制御信号に応じて被制御機器１００全体の動作を制御する。
【００１８】
なお、操作パネルによる直接操作が行われた場合は、一斉制御回路１８０は、操作パネル１７０から出力された操作信号に応じて命令情報をシステム制御回路１９０に出力する。そして、システム制御回路１９０は、一斉制御回路１８０から出力された命令情報に応じて被制御機器１００全体の動作を制御する。
【００１９】
図２は、本実施形態における遠隔操作機器の構成例を示すブロック図である。
図２において、遠隔操作機器２００は、操作パネル２１０と、発信元情報記憶回路２２０と、制御回路２３０と、赤外線通信送信回路２４０と、赤外線発光回路２５０とを備えている。
【００２０】
操作パネル２１０は、遠隔操作機器２００本体の表面に設置されており、複数のボタンを有している。そして、ユーザのボタン操作に応じた操作信号を制御回路２３０に出力する。発信元情報記憶回路２２０は不揮発性メモリを有し、遠隔操作機器２００固有の発信元情報を記憶している。そして、その発信元情報を読み出して制御回路２３０に出力する。
【００２１】
制御回路２３０は、操作パネル２１０から操作信号が出力されると、その操作信号と発信元情報記憶回路２２０から出力された発信元情報とを元に遠隔操作情報を生成して、赤外線通信送信回路２４０に出力する。赤外線通信送信回路２４０は、制御回路２３０から出力された遠隔操作情報を赤外線送信信号に変調して、変調した赤外線送信信号を赤外線発光回路２５０に出力する。そして、赤外線発光回路２５０は、赤外線通信送信回路２４０から出力された赤外線送信信号に応じた赤外線を発光する。
【００２２】
図３は、本実施形態における通信変換器の構成例を示すブロック図である。
図３において、通信変換器３００は、赤外線受光センサ３１０と、赤外線通信受信回路３２０と、ネットワーク通信回路３３０と、ネットワーク接続端子３４０とを備えている。
【００２３】
赤外線受光センサ３１０は、受光した赤外線を復調して赤外線受信信号を赤外線通信受信回路３２０に出力する。そして、赤外線通信受信回路３２０は、赤外線受光センサ３１０で復調された赤外線受信信号に含まれる発信元情報と命令情報とを含むデータをネットワーク通信回路３３０に出力する。ネットワーク通信回路３３０は、赤外線通信受信回路３２０から出力されたデータをネットワークに接続された機器にネットワーク接続端子３４０を介して送信する。
【００２４】
次に、被制御機器１００の動作について図５のフローチャートを参照しながら説明する。
まず、ステップＳ５０１において、赤外線受光センサ１３０は、遠隔操作機器２００から発せられた赤外線を受光したか否かを判断する。この判断の結果、赤外線を受光していない場合は、そのまま待機し、受光した場合は、受光した赤外線を復調して赤外線受信信号を赤外線通信受信回路１４０に出力する。
【００２５】
次に、ステップＳ５０２において、赤外線通信受信回路１４０は、赤外線受光センサ１３０から出力された赤外線受信信号に含まれる対象機器情報から、被制御機器１００本体を制御可能であるか否かを判断する。
【００２６】
この判断の結果、被制御機器１００本体を制御可能である場合は、ステップＳ５０３に進み、前記赤外線受信信号に含まれる発信元情報を発信元情報記憶回路１５０に出力し、前記赤外線受信信号に含まれる命令情報を一斉制御回路１８０に出力する。そして、発信元情報記憶回路１５０は、赤外線通信受信回路１４０から出力された発信元情報を記憶する。一方、一斉制御回路１８０は、赤外線通信受信回路１４０から出力された命令情報に基づく制御信号をシステム制御回路１９０に出力する。そして、システム制御回路１９０は、一斉制御回路１８０から出力された制御信号に応じて機器全体の動作を制御する。
【００２７】
一方、ステップＳ５０２の判断の結果、被制御機器１００本体を制御可能でない場合は、ステップＳ５０１に戻る。次に、ステップＳ５０４において、ネットワーク通信回路１２０は、ネットワーク接続端子１１０を通してネットワークからデータを受信したか否かを判断する。この判断の結果、ネットワークからデータを受信していない場合はそのまま待機し、データを受信した場合は、ステップＳ５０５に進む。
【００２８】
次に、ステップＳ５０５において、ネットワーク通信回路１２０は、受信したデータに含まれる発信元情報を発信元比較回路１６０に出力するとともに、受信したデータに含まれる命令情報を一斉制御回路１８０に出力する。そして、発信元比較回路１６０は、ネットワーク通信回路１２０から出力された発信元情報と、発信元情報記憶回路１５０に記憶されている発信元情報とを比較し、発信元が同一であるか否かを判断する。
【００２９】
この判断の結果、発信元が同一でない場合は、ステップＳ５０６に進む。そして、ステップＳ５０６において、発信元比較回路１６０は、その比較結果情報を一斉制御回路１８０に出力する。そして、一斉制御回路１８０は、赤外線通信受信回路１４０から出力された命令情報に基づく制御を継続させ、処理を終了する。
【００３０】
一方、ステップＳ５０５の判断の結果、発信元が同一である場合は、ステップＳ５０７に進む。そして、ステップＳ５０７において、発信元比較回路１６０は、その比較結果情報を一斉制御回路１８０に出力する。そして、一斉制御回路１８０は、ネットワーク通信回路１２０から出力された命令情報に基づく制御信号をシステム制御回路１９０に出力する。そして、システム制御回路１９０は、一斉制御回路１８０から出力された制御信号に応じて被制御機器１００全体の動作を制御する。
【００３１】
次に、図５に示した動作手順を具体的に実現した例について説明する。図４は、本実施形態において、複数の被制御機器がネットワークを介して相互に接続されている通信システムを示す図である。なお、図４に示す例では、各機器は単一のネットワークを介して接続されているが、情報が伝達されるのであれば、ネットワークの媒体や構成は何でもよい。
【００３２】
図４において、第１の被制御機器１１〜第４の被制御機器２２、及び通信変換器３１がネットワーク４０１に接続されている。なお、第１の被制御機器１１〜第４の被制御機器２２の構成は、図１に示したものと同一の構成であり、通信変換器３１の構成は、図３に示したものと同一の構成である。また、図４に示す第１の遠隔操作機器４１及び第２の遠隔操作機器４２の構成も、図２に示したものと同一の構成である。さらに、これらの機器は、お互いに離れた場所に設置されていてもよいものとする。
【００３３】
まず、第１のユーザの操作により第１の遠隔操作機器４１から第１の被制御機器１１を制御する場合について説明する。第１のユーザにより第１の被制御機器１１に向けて第１の遠隔操作機器４１の操作パネル２１０が操作されると、第１の遠隔操作機器４１は、第１のユーザのボタン操作に応じた赤外線を第１の被制御機器１１に向けて発光する。
【００３４】
第１の被制御機器１１は、第１の遠隔操作機器４１から発せられた赤外線を受光すると、その赤外線を復調して赤外線受信信号を生成する。そして、生成した赤外線受信信号に含まれる対象機器情報が本装置を制御可能であることを検出すると、第１の被制御機器１１は、前記赤外線受信信号に含まれる発信元情報を記憶する。また、前記赤外線受信信号に含まれる命令情報に応じて第１の被制御機器１１全体が動作する。
【００３５】
例えば、第１の遠隔操作機器４１の電源ボタンが第１のユーザにより操作された場合には、電源をオンあるいはオフにする命令情報に基づき、第１の被制御機器１１の電源がオンあるいはオフとなる。
【００３６】
そして、同様の手順で、第１のユーザの操作により第１の遠隔操作機器４１から第２の被制御機器１２を制御したものとする。さらに、同様の手順で、別の第２のユーザの操作により第２の遠隔操作機器４２から第３の被制御機器２１及び第４の被制御機器２２を制御したものとする。
【００３７】
次に、ネットワーク４０１に接続されている第１の被制御機器１１〜第４の被制御機器２２にデータを一斉に送信する場合について説明する。
第１のユーザの操作により通信変換器３１に向けて第１の遠隔操作機器４１の操作パネル２１０が操作されると、第１の遠隔操作機器４１は、第１のユーザのボタン操作に応じた赤外線を通信変換器３１に向けて発光する。
【００３８】
通信変換器３１は、第１の遠隔操作機器４１から発せられた赤外線を受光すると、その赤外線を復調して赤外線受信信号を生成する。そして、生成した赤外線受信信号に含まれる発信元情報と命令情報とを含むデータをネットワーク４０１に接続された第１の被制御機器１１〜第４の被制御機器２２に向けて送信する。
【００３９】
第１の被制御機器１１及び第２の被制御機器１２は、ネットワーク４０１からデータを受信し、そのデータに含まれる発信元情報と、記憶されている発信元情報とを比較して、その比較結果情報を生成する。この場合、発信元は同一なので、ネットワーク４０１から受信したデータに含まれる命令情報に応じて機器全体が動作する。
【００４０】
一方、第３の被制御機器２１及び第４の被制御機器２２も、ネットワーク４０１からデータを受信し、そのデータに含まれる発信元情報と、記憶されている発信元情報とを比較して、その比較結果情報を生成する。ところがこの場合、発信元は同一でないので、ネットワーク４０１から受信したデータに含まれる命令情報に応じた動作は行われない。
【００４１】
例えば、第１の遠隔操作機器４１から電源をオフにする命令がネットワーク４０１を介して送信された場合には、第１の被制御機器１１及び第２の被制御機器１２の電源はオフとなるが、第３の被制御機器２１及び第４の被制御機器２２の電源はオフにならない。また、第１の遠隔操作機器４１から動作モードとして外出モードにする命令が送信された場合には、第１の被制御機器１１及び第２の被制御機器１２は外出モードとなるが、第３の被制御機器２１及び第４の被制御機器２２は外出モードにならない。そして、前述した電源のオン及びオフや動作モードを切り替える以外のその他の命令についても同様である。
【００４２】
以上のように本実施形態においては、複数の被制御機器がネットワークに接続されている場合においても、被制御機器それぞれが過去に命令情報を送信した遠隔操作機器の情報を記憶している。そして、命令情報を送信した遠隔操作機器が同一である場合に、被制御機器の制御を行うことができるので、ユーザが過去に操作した機器を一斉に制御することができる。
【００４３】
（本発明に係る他の実施形態）
前述した本発明の実施形態における被制御機器を構成する各手段、並びに被制御機器における制御方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４４】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００４５】
なお、本発明は、前述した実施形態の機能を実現するソフトウェアのプログラム（実施形態では図５に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００４６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４７】
その場合、プログラムの機能を有していれば、オブジェクトコード、インタプリタにより実行されるプログラム、ＯＳに供給するスクリプトデータ等の形態であってもよい。
【００４８】
プログラムを供給するための記録媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００４９】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００５０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５１】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００５２】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００５３】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５４】
【図１】本発明の実施形態に係る被制御機器の構成例を示すブロック図である。
【図２】本発明の実施形態における遠隔操作機器の構成例を示すブロック図である。
【図３】本発明の実施形態における通信変換器の構成例を示すブロック図である。
【図４】本発明の実施形態において、複数の被制御機器がネットワークを介して相互に接続されている状態を示す図である。
【図５】本発明の実施形態に係る被制御機器における動作手順の一例を示すフローチャートである。
【符号の説明】
【００５５】
１００  被制御機器
１１０  ネットワーク接続端子
１２０  ネットワーク通信回路
１３０  赤外線受光センサ
１４０  赤外線通信受信回路
１５０  発信元情報記憶回路
１６０  発信元比較回路
１７０  操作パネル
１８０  一斉制御回路
１９０  システム制御回路
【図１】
0005004768.tif 000002
【図２】
0005004768.tif 000003
【図３】
0005004768.tif 000004
【図４】
0005004768.tif 000005
【図５】
0005004768.tif 000006